(57)【要約】【課題】被介護者が自力で採尿と貯尿ができる用具を提供する。【解決手段】筒状の挿入体と貯留タンクを設け、この挿入体と貯留タンク間を管体接続にて連通させたことを特徴とする。【選択図】      図１
2006204868.tif 000002
【特許請求の範囲】
【請求項１】
筒状の挿入体と貯留タンクを設け、この挿入体と貯留タンク間を管体接続にて連通させたことを特徴とする採尿器。
【請求項２】
挿入体に柔軟性を有する膜体よりなる保護膜を取り付けてなる請求項１記載の採尿器。
【発明の詳細な説明】
【技術分野】
【０００１】  この発明は、被介護者が自力で採尿するときに用いる採尿器に関する。
【背景技術】
【０００２】  従来より、被介護者の排尿時には紙おむつが多用されており、本発明にて示すように、自力での採尿とこの尿の貯留を行うことのできる用具は現在のところ見当たらない。
【発明の開示】
【発明が解決しようとする課題】
【０００３】  下半身麻痺や半身麻痺等で介護が必要な場合、排尿への対処が大切であり、従来より就寝時には主に紙おむつが利用されている。この紙おむつの多くは高分子吸収剤が内蔵され、尿をこの吸収剤にて吸収してゲル化するものであるが、長時間の使用その他の理由にて紙おむつから尿が漏れて、下着や寝具を汚すことがある。また、自力での採尿処理が困難なため、時間を決めてカテーテルで導尿してから紙おむつを用いることもある。
しかし、いずれにおいても紙おむつが汚れると介護者の手を借りなければその交換ができない。また、下着や寝具等の交換も必要となる。そのため、介護者と被介護者ともに睡眠が不十分となり、肉体的・精神的に負担が大きくなる。紙おむつは通気性が悪いため、肌に悪影響を及ぼして毎日使用していると、湿疹やかゆみ、かぶれ等を起こしやすい。
さらに、麻痺の程度によってはこれらの感覚がなく、症状の悪化を招く恐れがある。
本発明は、以上のような従来からの要介護者の排尿手段に関わる課題を解決するために発明されたもので、被介護者が自力で排尿することができるとともに、下着を汚すこともなく肌への悪影響のない新規かつ有用なる用具を提供することを目的として開発されたものである。
【課題を解決するための手段】
【０００４】  課題を解決する手段として本発明は、挿入体と貯留タンクを設け、これら二物間を導管にて接続してその主要部を構成した。
すなわち、筒状の挿入体と貯留タンクを設け、この挿入体と貯留タンク間を管体接続にて連通させる。本発明は以上の構成よりなる採尿器である。なお、後述の実施形態にて示すように、挿入体に保護膜を取り付けることによりその利便性を高めることができる。
【発明の効果】
【０００５】  本発明によれば、挿入体と貯留タンク間を導管にて接続連通した構成のため、患者が片手で操作して採尿および貯尿することのできる有用なる物品を提供することができる。
また、保護膜を付設することで使用時の安定感、尿の逆流防止が得られ、挟持体を併用することで、挿入体の不意の脱落を防ぐことができる。
【発明を実施するための最良の形態】
【０００６】  以下、本発明の実施形態について説明する。
図において、１は挿入体で、合成樹脂製の略筒状体であり、着脱可能なる３個の部品にて構成される。２はこの挿入体を構成する本体で、適宜外径の筒体であってその両端に雄ネジが刻設される。３は短筒状の前方キャップで、その内面の一部に雌ネジが刻設され、雌ネジと反対側の端面に伸縮性と柔軟性を有する合成樹脂膜よりなる保護膜４が固着される。この保護膜は上片５と下片６とに分かれ、外部からの押圧にて変形可能である。
７は後方キャップで、その内面の一部に雌ネジが刻設され、また該キャップ中央に貫通孔が穿設されるとともにこの孔に保持管８が挿入突設される。以上の前方キャップおよび後方キャップは本体の雄ネジに各々螺着される。
９は採尿管で、透明ビニール管であり、その一端は保持管に外嵌され、他端には保持管１０が内嵌している。１１は三方管で、Ｔ字形中空体であり、その上部には栓１２が挿入保持される。この栓は円柱形の上部と下端に先鋭部を有する細円柱状の下部から形成され、この下部が三方管上部に挿入される。三方管下部の一方には透明ビニール細管による導管１３の一端が外嵌され、この導管他端は保持管１０に内嵌される。また、三方管の他方にも導管１４が外嵌され、該導管の他端は貯留タンク１５へと向かう。【０００７】  この貯留タンクは半透明合成樹脂製中空体の一体成型物であり、その上部に取っ手１６と受け口１７を有している。この受け口は突出管状形であり、貯留液の出入り口となり、その外面には雄ネジが設けられる。１８はキャップで、その内面には雌ネジが設けられ、受け口に螺合する。このキャップ上面には２個の貫通孔が穿設され、その一方には柔軟性透明ビニール管による適宜長の通気管１９が挿入固着され、他方の貫通孔には逆中空円錐台形状の柔軟性透明合成樹脂による保持体２０が挿入保持される。そして前記の導管１４の他端がこの保持体に内嵌される。以上の構成から挿入体、採尿管、各導管、貯留タンクが互いに連通した採尿器が構成される。
２１は挟持体である。この挟持体は一部を切り欠いた合成樹脂製環状体であり、適度の弾力を有する一体成型物であり、その側面は格子状に形成される。【０００８】  本発明を使用するには、まず図１のように各部分を接続し、貯留タンクを下方に位置させる。（図１は接続の一例であり、使用状況に対応して各部品の上下・左右位置が決められる）次ぎに、排尿するとき（男性）は挿入体を手に持ち、性器にあてがうとその先端はまず保護膜に接触する。この保護膜は柔軟性と弾力性に富み、かつ上片と下片に分かれているのでそのまま押しこむことができる。この状態で挿入体を傾けて後方キャップ側を下にして放尿する。放出された尿は挿入体から保持管を経て採尿管と導管を通って貯留タンクへと導かれ、貯留される。キャップには通気管が設けられているのでタンク内空気はここから外へ放出される。放尿終了後は、三方管より栓を抜き取ると、ここから導管内に空気が入るので、導管内に一部残っている尿をすべてタンクへと移動させることができる。
貯留したタンクからキャップを取り外し、タンク内の尿を所定場所に捨てて空にし、再び接続して再度使用することができる。【０００９】  本発明の使用において、挟持体を併用することでさらに使用に便利なものとなる。
図１３〜図１４に示すように、この挟持体は下部を切除した環状体であり、その内径は挿入体外径よりわずかに小さい。従って、挿入体に適度の押圧力にてかぶせることができる。使用時は挿入体内に性器を挿入し、この挿入体にパンツなどの下着をかぶせ、その上に挟持体をはめ込む。これにより図５に示すように挿入体と下着とが押圧密着するので挿入体から手を離して用を足すことができる。この挟持体は合成樹脂製であり、格子状に形成されているため適度の弾力を保ち、上記の効果を得ることができる。
図４は本発明の他例を示すもので、保護膜を環状漏斗形としたもので、その機能は前例と同様である。これら保護膜にて性器は挿入体に軽く保持されるため、使用時の安定が得られ、かつ放出した尿の逆流による漏れを防ぐことができる。
本発明は既述のように、各部品を接続して構成されており、不使用時にはこの接続を解除して各部品の洗浄と収納および部品交換が可能である。【００１０】  以上本発明について説明したが、本発明は挿入体を性器にあてがうだけで使用できるため、片手にて用を足すことができ、タンク内に貯留できるところにその特徴がある。
従って、従来の紙おむつ使用のように介護者の手を煩わすことなく、下着や寝具を汚すこともなく、肉体的・精神的負担を軽減することができる。
下半身麻痺の患者の場合、尿意を感じることがなく、排尿のコントロールは非常に難しく、無意識のうちに失禁してしまうことがあり、とくに就寝時はその傾向が高い。
そのため失禁によって汚れた下着やおむつ等の交換のために介護者の手助けが必須である。しかし、本用具は被介護者が自力で装着使用できるので、介護者の労力・負担は軽微となり、また患者の精神的自立を促すことができる。
なお、挿入体サイズ、導管径、導管長、タンク容積等は適宜に選択して用いることができる。以上のごとく、本発明によって被介護者と介護者の双方にとって利便性の高い用具を得ることができる。
【図面の簡単な説明】
【００１１】
【図１】本発明の各部接続状態説明図
【図２】本発明の挿入体の正面図
【図３】Ａ−Ａ断面図
【図４】本発明の他例における要部構造説明図
【図５】本発明の挟持体の使用説明図
【図６】本発明の貯留タンクの平面図（キャップ取り外し時）
【図７】本発明の貯留タンクの正面図（キャップ取り外し時）
【図８】本発明の貯留タンクの平面図（キャップ取り付け時・一部略）
【図９】本発明の貯留タンクの正面図（キャップ取り付け時・一部略）
【図１０】本発明の要部構造説明図
【図１１】本発明の三方管構造説明図
【図１２】本発明の栓の拡大正面図
【図１３】本発明の挟持体の正面図
【図１４】本発明の挟持体の右側面図
【符号の説明】
【００１２】１    挿入体
２    本体
３    前方キャップ
４    保護膜
４ａ  保護膜
５    上片
６    下片
７    後方キャップ
８    保持管
９    採尿管
１０  保持管
１１  三方管
１２  栓
１３  導管
１４  導管
１５  貯留タンク
１６  取っ手
１７  受け口
１８  キャップ
１９  通気管
２０  保持体
２１  挟持体
２２  布体
【図１】
2006204868.tif 000003
【図２】
2006204868.tif 000004
【図３】
2006204868.tif 000005
【図４】
2006204868.tif 000006
【図５】
2006204868.tif 000007
【図６】
2006204868.tif 000008
【図７】
2006204868.tif 000009
【図８】
2006204868.tif 000010
【図９】
2006204868.tif 000011
【図１０】
2006204868.tif 000012
【図１１】
2006204868.tif 000013
【図１２】
2006204868.tif 000014
【図１３】
2006204868.tif 000015
【図１４】
2006204868.tif 000016